(57)【特許請求の範囲】
【請求項１】
破砕装置に設けた破砕ロータを回転させて被破砕木材を破砕し、その破砕した木材破砕物を破砕機本体外へ搬出する自走式木材破砕機において、
破砕装置側端部に設けた送りローラを有し、前記被破砕木材を前記破砕装置側へ搬送する搬送手段と、
前記搬送手段の上方、かつ破砕装置の近傍に設けた押えローラを有し、前記搬送手段と協働して前記被破砕木材を押圧しながら前記破砕装置へと導入する押圧導入手段と、
前記被破砕木材の搬送面から外れた前記破砕ロータの外周側に固定したアンビルとを備え、
前記破砕ロータの外周部に取り付けた破砕ビットが前記被破砕木材に対して上向きに衝突して破砕する向きに回転させる上向き回転駆動にすると共に前記搬送手段による前記被破砕木材の搬送面を前記破砕ロータの回転中心位置近傍を含みそれより上方に位置させ、前記押えローラを前記送りローラよりも破砕ロータ破砕外径（Ｒ）に対して近くなるように配設した
ことを特徴とする自走式木材破砕機。
【請求項２】
請求項１記載の自走式木材破砕機において、前記送りローラの径を、前記押えローラの径よりも小さくしたことを特徴とする自走式木材破砕機。
【請求項３】
破砕装置に設けた破砕ロータを回転させて被破砕木材を破砕し、その破砕した木材破砕物を破砕機本体外へ搬出する自走式木材破砕機において、
破砕装置側端部に設けた送りローラを有し、前記被破砕木材を前記破砕装置側へ搬送する搬送手段と、
前記搬送手段の上方、かつ破砕装置の近傍に設けた押えローラを有し、前記搬送手段と協働して前記被破砕木材を押圧しながら前記破砕装置へと導入する押圧導入手段と、
前記被破砕木材の搬送面から外れた前記破砕ロータの外周側に固定したアンビルとを備え、
前記破砕ロータの外周部に取り付けた破砕ビットが前記被破砕木材に対して下向きに衝突して破砕する向きに回転させる下向き回転駆動にすると共に前記搬送手段による前記被破砕木材の搬送面が前記破砕ロータの回転中心位置近傍を含みそれより下方に位置させ、前記送りローラを前記押えローラよりも破砕ロータ破砕外径（Ｒ）に対して近くなるように配設した
ことを特徴とする自走式木材破砕機。
【請求項４】
請求項３記載の自走式木材破砕機において、前記押えローラの径を、前記送りローラの径よりも小さくしたことを特徴とする自走式木材破砕機。
【発明の詳細な説明】
【０００１】
【発明の属する技術分野】
本発明は、剪定枝材・間伐材、枝木材、廃木材等を破砕対象とする自走式木材破砕機に関し、更に詳しくは、破砕装置に設けた破砕ロータを回転させて被破砕木材を破砕する自走式木材破砕機に関するものである。
【０００２】
【従来の技術】
例えば、森林で伐採された木材を枝払いするときに発生する剪定枝材・間伐材や、造成・緑地維持管理等で発生する枝木材、あるいは木造家屋に使用された廃木材は、通常、最終的に産業廃棄物として処理される。木材破砕機は、廃棄物処理過程における廃棄物の減容を図ったり、粉砕した後の粉砕物を発酵処理し有機肥料として再利用することを目的に、それら枝材、枝木材等を、運搬する前にその作業現場で所定の大きさに破砕（粉砕）するものである。また、木材破砕機を移動可能として機動性を持たせた自走式木材破砕機も既に提唱されている。
【０００３】
この種の木材破砕機として、例えば、U.S.P.5947395号に記載のように、回転して被破砕木材を破砕する破砕ロータを備えた破砕装置と、その破砕した木材破砕物を破砕機本体外へ搬出する搬出コンベアと、前記破砕装置側端部に設けた送りローラを有し、前記被破砕木材を前記破砕装置側へ搬送する送りコンベアと、前記被破砕木材を押圧しながら前記破砕装置へと導入する押えローラと、前記破砕ロータを、その破砕ビットが前記被破砕木材に対し上向きに衝突して破砕する向きに回転させる上向き駆動手段とを備え、前記送りコンベアによる前記被破砕木材の搬送面が前記破砕ロータの回転中心位置より下方に位置するように、前記破砕ロータ、前記送りローラ、及び前記押えローラを配設したものがある。
【０００４】
この従来技術では、例えば、ほぼ水平方向から導入された被破砕木材を送りコンベアで破砕装置側へ搬送し、破砕装置の手前でさらに押えローラで被破砕木材を押さえ込んで把持する。すなわち、押えローラと前記送りローラとで上下から被破砕木材を挟み込むようにして、この挟み込み部分を破砕時の破砕支点としつつ、それより破砕装置側の被破砕木材先端部を破砕ロータに向かって片持ち梁状に突出させ、その突出した先端部を上向きに回転する破砕ロータの破砕ビットにて次々に破砕していくようになっている。
【０００５】
【発明が解決しようとする課題】
しかしながら、上記従来技術には、以下のような課題が存在する。
上述したように、破砕時には、押えローラと送りローラによる挟み込み部分を破砕支点として被破砕木材先端部を突出させており、その突出部分は前記破砕支点で支持された片持ち梁状となっている。このため、この突出部分には、破砕ロータからの上方への衝撃でたわみが生じ、突出部分の長さが長いほどたわみが生じやすく、短いほどたわみが生じにくい傾向となる。
【０００６】
上記従来技術では、このような突出部分の長さによるたわみの発生について特に配慮されておらず、前記破砕支点を構成する押えローラ及び送りローラを、破砕ロータから比較的離れた位置に配設している。このため、破砕時において、被破砕木材の前記突出部分の長さが比較的大きくなり、たわみが発生しやすくなる結果、たわみとその後の復元との繰り返しによる突出部分のバタツキにより、著しい騒音の増大を招く。
【０００７】
また、上記のようにして被破砕木材を先端部側から順次破砕ロータ側へと送り込んで破砕を行っていくとき、被破砕木材の最後端が上記押えローラ及び送りローラによる挟み込み部分（破砕支点）を通過した瞬間に、被破砕木材はどこからも把持されず解放された状態となる。この結果、その被破砕木材は、破砕されない比較的大きな形状のまま、破砕ロータの破砕ビットに抱き込まれるような形で破砕ロータまわりの破砕室内に導入される。この導入された大きな被破砕木材は、破砕ロータの回転と共に破砕室内を跳ね回るため、これによっても著しい騒音増大を招く。
本発明は、上記の問題に鑑みてなされたものであり、その目的は、被破砕木材のバタツキや跳ね回りによる騒音を低減できる自走式木材破砕機を提供することにある。
【０００８】
（１）上記目的を達成するために、本発明は、破砕装置に設けた破砕ロータを回転させて被破砕木材を破砕し、その破砕した木材破砕物を破砕機本体外へ搬出する自走式木材破砕機において、破砕装置側端部に設けた送りローラを有し、前記被破砕木材を前記破砕装置側へ搬送する搬送手段と、前記搬送手段の上方、かつ破砕装置の近傍に設けた押えローラを有し、前記搬送手段と協働して前記被破砕木材を押圧しながら前記破砕装置へと導入する押圧導入手段と、前記被破砕木材の搬送面から外れた前記破砕ロータの外周側に固定したアンビルとを備え、前記破砕ロータの外周部に設けた破砕ビットが前記被破砕木材に対して上向きに衝突して破砕する向きに回転させる上向き回転駆動にすると共に前記搬送手段による前記被破砕木材の搬送面を前記破砕ロータの回転中心位置近傍を含みそれより上方に位置させ、前記押えローラを前記送りローラよりも破砕ロータ破砕外径（Ｒ）に対して近くなるように配設したものである。
【０００９】
例えばほぼ水平方向から自走式木材破砕機に被破砕木材を導入すると、導入した被破砕木材を搬送手段で破砕装置側へ搬送し、破砕装置の手前でさらに押圧導入手段で搬送手段と協働して押圧しながら、破砕装置へ導入する。すなわち、押圧導入手段の破砕装置近傍かつ搬送手段上方にある押えローラと搬送手段の破砕装置側端部にある送りローラとで被破砕木材を上下から挟み込むようにして、この挟み込み部分を破砕時の破砕支点としつつ、それより破砕装置側の被破砕木材先端部を破砕ロータに向かって片持ち梁状に突出させ、その突出した先端部を回転する破砕ロータの破砕ビットにて次々に破砕していく。このとき、破砕ロータの回転方向は、破砕ビットが被破砕木材に対し上向きに衝突して破砕する向きに回転させる場合と、破砕ビットが被破砕木材に対し下向きに衝突して破砕する向きに回転させる場合と両方が考えられる。
【００１０】
そこで、本発明は、上記上向き回転の場合に対応して、破砕時において搬送手段による搬送面が破砕ロータの回転中心位置近傍及びその上方に位置するように構成するとともに、さらに押えローラ（具体的には例えばその破砕ロータ側端部）を送りローラ（具体的には例えばその破砕ロータ側端部）よりも破砕ロータの破砕外径に近づける。
【００１１】
すなわち、上部にある押えローラの破砕ロータ側端部と破砕ロータ破砕外径との距離を、下部にある送りローラの破砕ロータ側端部と破砕ロータ破砕外径との距離よりも小さくすることにより、押えローラ側（すなわち被破砕木材片の巻き込み側）の隙間をより小さくすることができる。これにより、上記押えローラ及び送りローラによる挟み込み部分（破砕支点）を通過して開放された被破砕木材の最後端が、比較的大きな形状のままでその隙間を介し破砕ロータまわりの破砕室内に導入されはね回るのを抑制できる。したがって、被破砕木材の破砕室内での跳ね回りによる騒音発生を低減できる。
【００１２】
このとき、上記のようにして押えローラと送りローラの破砕外径への距離に差をつけた場合であっても、押えローラ及び送りローラの径の大小関係を適宜設定する（例えば送りローラの径を押えローラの径よりも小さくする）ことにより、それら２つのローラ全体としても比較的破砕ロータに近接させることができる。これにより、押えローラと送りローラとの挟み込み部分である破砕時の破砕支点を、破砕ロータに近づけることができるので、被破砕木材先端部におけるその破砕支点から片持ち梁状に突出する部分の長さを短くすることができる。したがって、破砕ロータからの上方への衝撃で生じるその突出部分のたわみを低減できるので、たわみとその後の復元との繰り返し（いわゆるバタツキ）による騒音発生を低減することができる。
【００１３】
（２）上記（１）において、好ましくは、前記送りローラの径を、前記押えローラの径よりも小さくする。
【００１４】
（３）上記目的を達成するために、また本発明は、破砕装置に設けた破砕ロータを回転させて被破砕木材を破砕し、その破砕した木材破砕物を破砕機本体外へ搬出する自走式木材破砕機において、破砕装置側端部に設けた送りローラを有し、前記被破砕木材を前記破砕装置側へ搬送する搬送手段と、前記搬送手段の上方、かつ破砕装置の近傍に設けた押えローラを有し、前記搬送手段と協働して前記被破砕木材を押圧しながら前記破砕装置へと導入する押圧導入手段と、前記被破砕木材の搬送面から外れた前記破砕ロータの外周側に固定したアンビルとを備え、前記破砕ロータの外周部に取り付けた破砕ビットが前記被破砕木材に対して下向きに衝突して破砕する向きに回転させる下向き回転駆動にすると共に前記搬送手段による前記被破砕木材の搬送面が前記破砕ロータの回転中心位置近傍を含みそれより下方に位置させ、前記送りローラを前記押えローラよりも破砕ロータ破砕外径（Ｒ）に対して近くなるように配設したものである。
【００１５】
本発明は、前述した下向き回転の場合に対応して、破砕時において搬送手段による搬送面が破砕ロータの回転中心位置近傍及びその下方に位置するように構成するとともに、さらに送りローラ（例えばその破砕ロータ側端部）を押えローラ（例えばその破砕ロータ側端部）よりも破砕ロータの破砕外径に近づける。
【００１６】
すなわち、下部にある送りローラの破砕ロータ側端部と破砕ロータ破砕外径との距離を、上部にある押えローラの破砕ロータ側端部と破砕ロータ破砕外径との距離よりも小さくすることにより、送りローラ側（すなわち被破砕木材片の巻き込み側）の隙間をより小さくすることができる。これにより、前述した押えローラ及び送りローラによる挟み込み部分（破砕支点）を通過して開放された被破砕木材の最後端が、比較的大きな形状のままでその隙間を介し破砕ロータまわりの破砕室内に導入されはね回るのを抑制できる。したがって、被破砕木材の破砕室内での跳ね回りによる騒音発生を低減できる。
【００１７】
このとき、上記のようにして送りローラと押えローラの破砕外径への距離に差をつけた場合であっても、送りローラ及び押えローラの径の大小関係を適宜設定する（例えば押えローラの径を送りローラの径よりも小さくする）ことにより、それら２つのローラ全体としても破砕ロータに比較的近接させることができる。これにより、押えローラと送りローラとの挟み込み部分である破砕時の破砕支点を、破砕ロータに近づけることができるので、被破砕木材先端部におけるその破砕支点から片持ち梁状に突出する部分の長さを短くすることができる。したがって、破砕ロータからの下方への衝撃で生じるその突出部分のたわみを低減できるので、たわみとその後の復元との繰り返し（いわゆるバタツキ）による騒音発生を低減することができる。
【００１８】
（４）上記（３）において、好ましくは、前記押えローラの径を、前記送りローラの径よりも小さくする。
【００２６】
【００２７】
【発明の実施の形態】
以下、本発明の自走式木材破砕機の一実施の形態を図面を参照しつつ説明する。
図１は、本発明の自走式木材破砕機の一実施の形態の全体構造を表す側面図であり、図２は図１に示した本発明の自走式木材破砕機の一実施の形態の上面図である。
これら図１及び図２において、この自走式木材破砕機は、例えば適宜の作業具あるいは手作業によりリサイクル原料としての被破砕物（例えば、森林で伐採された木材を枝払いするときに発生する剪定枝材・間伐材や、造成・緑地維持管理等で発生する枝木材、あるいは木造家屋に使用された廃木材、以下適宜、被破砕木材という）が投入され、その被破砕木材を受け入れるホッパ１、このホッパ１内に設けられホッパ１で受け入れた被破砕木材を搬送する送りコンベア２、及びこの送りコンベア２で搬送された被破砕木材を所定の大きさに破砕し下方へ排出する回転式の破砕装置（この例ではいわゆるインパクトクラッシャ）３、及び前記送りコンベア２で略水平方向から導入された前記被破砕木材を送りコンベア２と協働して押圧把持しながら前記破砕装置３へと導入する押えコンベア４を搭載した破砕機本体５と、この破砕機本体５の下方に設けられた走行体６と、前記の破砕装置３で破砕され下方へ排出された木材破砕物を受け入れて自走式木材破砕機の後方側（図１及び図２中左側）に運搬し搬出する排出コンベア７と、この排出コンベア７上を運搬中の前記木材破砕物に含まれる磁性物を磁気的に吸引除去する磁選機８（但し、図２では図示省略）とを有する。
【００２８】
前記の走行体６は、本体フレーム９と、その下部に設けられた走行装置１０とを備えている。本体フレーム９は、例えば略長方形の枠体によって形成され前記破砕装置３、前記ホッパ１、及びパワーユニット９４（詳細は後述）等を載置する破砕機取付け部９Ａと、この破砕機取付け部９Ａの下部に設けられたトラックフレーム部９Ｂとから構成される。また、前記走行装置１０は、図１に示すように、前記トラックフレーム部９Ｂに回転自在に支持された駆動輪１０ａ及びアイドラ１０ｂと、これらの間に掛け渡された無限軌道履帯１１とを備えており、駆動輪１０ａ側に設けられた左・右走行用油圧モータ１２によって駆動力が与えられることにより自走式木材破砕機を走行させるようになっている。
【００２９】
前記のホッパ１は、前記本体フレーム破砕機取付け部９Ａ上に設けた中間フレーム１３、さらにその上部に設けた搭載フレーム１４に対し、支持部材１５を介して略水平方向に取り付けられている。このとき、ホッパ１は、幅方向両側の側壁１ａ，１ａ（図２参照）と前方側の側壁１ｂとを備えており、このような構造により、前述したような被破砕木材を受け入れることが可能となっている。
【００３０】
前記の破砕装置３は、前記本体フレーム破砕機取付け部９Ａの前後方向ほぼ中央部上に搭載された破砕ユニット１６内に配設されている。
図３は、この破砕ユニット１６付近の構造を表す図１中部分拡大側面図であり、図４は、図３に示した構造のうち、前記押えコンベア４及び前記送りコンベア２の詳細構造を表すための一部透視拡大側面図である。これら図３及び図４において、破砕ユニット１６は、上記破砕装置３と、前記本体フレーム破砕機取付け部９Ａに取り付けられるベース部１７と、このベース部１７に立設される枠体部１８とを備えている。
【００３１】
ベース部１７は、その最下部に設けた底板１７ａと、底板１７ａ上に左・右両側に立設された側板１７ｂと、それら側板１７ｂ，１７ｂを連結するように立設された後方側の側板１７ｃと、底板１７ａの後方側（図３、図４中左側）端部に設けた台座部１７ｄとを備えている。そして、前記の底板１７ａが、中間部材１９を介し前記本体フレーム破砕機取付け部９Ａに対してボルト２０によって締結固定されるようになっている。
【００３２】
枠体部１８は、前記ベース部底板１７ａの前方側に立設固定された左・右２本の前方側支柱１８ａと、前記ベース部台座部１７ｄ上に立設固定された左・右２本の後方側支柱１８ｂと、これら前方側支柱１８ａ及び後方側支柱１８ｂの上端部を覆うように設けられた天板１８ｃとを備えている。
【００３３】
破砕装置３は、いわゆるインパクトクラッシャであり、刃物としての破砕ビット（打撃板でもよい、図示せず、但しその破砕外径Ｒを想像線で示す）及びそれら破砕ビットを固定する固定具（図示せず）を外周部に取り付けたロータ（破砕ロータ）２１を高速回転させることにより、送りコンベア２より供給された被破砕木材に対し、前記破砕ビットからの打撃及び破砕ロータ２１の外周側に固定された反発板（アンビル）２２ａ，２２ｂとの衝突を用いて打撃力を加え、所定の大きさに破砕するようになっている。
【００３４】
このとき、破砕ビットとしては、特に詳細を図示しないが、その刃面が破砕ロータ２１の正転方向（図３中矢印ア方向）回転に対応するような向きに配置された正転用破砕ビットと、その刃面が破砕ロータ２１の逆転方向（図３中矢印イ方向）回転に対応するような向きに配置された逆転用破砕ビットとが配置されている。なお、以上の破砕ビット配置に対応して、前記アンビル２２ａ，２２ｂは、破砕ロータ２１の正転方向（図３中矢印ア方向）回転に対応するアンビル２２ａと、破砕ロータ２１の逆転方向（図３中矢印イ方向）回転に対応するアンビル２２ｂとの２つが設けられている。
【００３５】
このとき、前記破砕ロータ２１は、その回転軸２１ａの両端が、前記左・右の側板１７ｂ，１７ｂに設けた軸受機構２３によって回転自在に支持されている。すなわち、軸受機構２３は、各側板１７ｂの外方側に取り付けられると共に、前記ベース部底板１７ａ上に設けた支持架台２４上に、中間部材２５を介して載置支持されている。また、各側板１７ｂには、その上縁部から軸受機構２３に至る強度補強部材２６が延設されている。
【００３６】
一方、前記枠体部１８の前記前方側支柱１８ａに設けたブラケット２７には、破砕装置用油圧モータ２８がピン結合によって回動可能に連結され、前記後方側支柱１８ｂに設けたブラケット２９には、張力調整用レバー３０がピン結合によって回動可能に連結され、さらにそれら破砕装置用油圧モータ２８と張力調整用レバー３０とが、ピン結合によって回動可能に連結されている。
【００３７】
そして、破砕装置用油圧モータ２８の駆動軸にはプーリ２８ａが取り付けられ、破砕ロータ２１の回転軸にはプーリ２１ａが取り付けられ、これらプーリ２８ａ及びプーリ２１ａの間にはベルト２８Ａが巻き回されている。そして、破砕装置用油圧モータ２８からの駆動力が前記ベルト２８Ａを介し破砕ロータ２１の回転軸に与えられることにより、破砕ロータ２１が回転するようになっている。なお、このときのベルト２８Ａの張りが、前記張力調整用レバー３０を操作することで調整可能となっている。
【００３８】
また、破砕ロータ２１の外周側には、支持部材３１により支持され、破砕物の粒度を設定するための多数の開口部を備えた略部分円筒面形状の篩い部材（グレート）３２が配置されている。
【００３９】
図１及び図２に戻り、前記の送りコンベア２は、前述した搭載フレーム１４に載置されており、上記ホッパ１の下部に略水平方向に延設されている。そしてこの送りコンベア２は、破砕装置３側端部に設けた例えばスプロケット状の駆動ローラ（以下適宜、送りローラという）３３と、その反対側（自走式木材破砕機前方側）に設けた従動ローラ３４と、これら送りローラ３３及び従動ローラ３４の間に巻回して設けたコンベアベルト３５（搬送体、図２参照）とを備えている。
【００４０】
図５は、図３中Ｖ−Ｖ面による一部断面で示す矢視図である。この図５及び前述の図４において、コンベアベルト３５は、自走式木材破砕機の幅方向の左・右両側に位置し、多数のリンク部材３７をピン結合によって回動自在に関節結合してなる無端状（エンドレス）のリンク３６と、それら無端状リンク３６，３６の間を自走式木材破砕機の幅方向に連結するように固定され被破砕木材の搬送方向に配列された複数の下部搬送板３９と、各下部搬送板３９の搬送方向下流側（一端側）上部（循環駆動で考えると外周側）に固定され、隣接する下部搬送板３９，３９の間の隙間を覆い、かつ後述のように被搬送物の搬送力を向上させるように設けた上部搬送板４０とを備えている。
【００４１】
そして、前記送りローラ３３の自走式木材破砕機右側（図２中上側）に配置された送りコンベア用油圧モータ４１の駆動力を、カップリング４２、ギヤ機構４３を介し送りローラ３３の回転軸３３ａに伝達することによって送りローラ３３を回転駆動してコンベアベルト３５の無端状リンク３６を駆動する。なお、このとき、従動ローラ３４の回転軸３４ａ（図１参照）を支持する軸受機構（図示せず）が公知の張力調整機構４４によって略水平方向に変位可能に構成されており、これによって、上記コンベアベルト３５の張力を調整可能となっている。
【００４２】
上記の構造により、送りコンベア２は、ホッパ１に投入されコンベアベルト３５上に載置された被破砕木材を上部搬送板３９及び下部搬送板４０上に載置して前記本体フレーム破砕機取付け部９Ａの後方側（図１及び図２中左側）へと略水平方向に搬送し、前記押えコンベア４に導くようになっている。
【００４３】
図１及び図２に戻り、前記の押えコンベア４は、前述した搭載フレーム１４の後方側端部の上方に、後述のように揺動可能かつ上下方向にスライド可能に配設されている。そしてこの押えコンベア４は、上記送りコンベア２と同様、図４及び図５に示すように、送りコンベア２の上方かつ破砕装置３の近傍（詳細には破砕装置３側端部）に設けたスプロケット状の駆動ローラ（以下適宜、押えローラという）４５と、その反対側（自走式木材破砕機前方側）に設けた従動ローラ４６と、これら押えローラ４５及び従動ローラ４６の間に巻回して設けられたコンベアベルト（搬送体）４７とを備えている。
【００４４】
コンベアベルト４７は、上記送りコンベア２のコンベアベルト３５とほぼ同様の構造であり、自走式木材破砕機の幅方向の左・右両側に位置し、多数のリンク部材４８ａをピン結合によって回動自在に関節結合してなる２つの無端状（エンドレス）のリンク４８と、それら無端状リンク４８，４８の間を自走式木材破砕機の幅方向に連結するように固定され被破砕木材の搬送方向に配列された複数の下部搬送板４９と、各下部搬送板４９の搬送方向下流側上部（循環駆動で考えると外周側）に固定され、隣接する下部搬送板４９，４９の間の隙間を覆うように設けられた上部搬送板５０とを備えている。
【００４５】
そして、前記押えローラ４５の自走式木材破砕機左側（図２中下側）に配置された押えコンベア用油圧モータ（図示せず）の駆動力を、図示しない伝達機構を介し押えローラ４５の回転軸４５ａに伝達することによって押えローラ４５を回転駆動してコンベアベルト４７の無端状リンク４８を駆動する。なお、従動ローラ４６の回転軸４６ａを支持する軸受機構（図示せず）が公知の張力調整機構５１によって搬送面に略平行な方向に変位可能に構成されており、これによって、上記コンベアベルト４７の張力を調整可能となっている。
【００４６】
上記の構造により、押えコンベア４は、前記送りコンベア２によって前方側（図１及び図２中右側）から略水平方向に導入された被破砕木材をその下方に取り込んだ後、送りコンベア２と協働して被破砕木材の上部を押さえ込むように把持しつつ後方側（図１及び図２中左側）へと導出し、前記破砕装置３へと導入するようになっている。
【００４７】
ここで、上記押えコンベア４は、押えコンベア支持機構６０によって、前述したように、揺動可能かつ上下方向にスライド可能に配設されている。このような動作を可能とする構成について、以下詳細に説明する。
【００４８】
図３及び図５において、押えコンベア支持機構６０は、前記搭載フレーム１４の前記送りコンベア２より前方側に立設固定された左・右１対の支柱６１，６１と、これら支柱６１，６１に沿って上下方向にそれぞれスライド走行可能な左・右２つずつのガイドローラ６２，６２（但し図５では煩雑を避けるために図示省略）と、これらガイドローラ６２とともに上下方向にスライド可能に配設されたスライダー６３と、上端部が上ブラケット６４を介し前記スライダー６３に連結されるとともに下端部が下ブラケット６５を介し前記搭載フレーム１４に連結され、スライダー６３を上下方向に駆動可能な左・右１対の油圧シリンダ６６，６６と、下方が開口した略箱体形状を備え、前記押えコンベア４を内部に収納配置する支持ケース６７とを備えている。
【００４９】
前記の各ガイドローラ６２は、対応する支柱６１の自走式木材破砕機前方側及び後方側に設けたレール６１ａ，６１ａにガイドされて走行する上下２つの車輪６８，６８と、これら２つの車輪６８，６８を回転自在に支持する車輪支持部６９，６９と、それら車輪支持部６９，６９を上下方向両端部に回転自在に取り付けた略平板状のベース部７０とを備えている。
【００５０】
前記の支柱６１，６１の上端部には、それらを連結するように略平板形状の上屋部材７１が設けられており、その自走式木材破砕機後方側端部は、前記の破砕ユニット枠体部１８の天板１８ｃの自走式木材破砕機前方側端部に取り付けた接続用ブラケット１８ｄに複数のボルト７２（図２参照）により連結固定されている。
【００５１】
前記のスライダー６３は、上記左・右２つずつのガイドローラ６２，６２にそれぞれボルト７３を介して固定された略長方形平板形状の左・右一対の側板部６３ａ，６３ａと、これら左・右側板６３ａ，６３ａの上端部を接続するように略水平方向に延設された前・後一対の天板部６３ｂ，６３ｂ（図５参照）と、これら天板部６３ｂ，６３ｂのうち左・右側板部６３ａ，６３ａの上端部より前記幅方向外方に突出する自走式木材破砕機幅方向両側端部分に設けた左・右一対のシリンダ取付け部６３ｃ，６３ｃとを備えている。このとき、前記シリンダ取付け部６３ｃには、前記油圧シリンダ６６の上端部が前記上ブラケット６４を介して連結され、これによって、油圧シリンダ６６の伸縮に伴いスライダー６３が上下動可能になっている。また油圧シリンダ６６を緩衝（ダンパー）機能として用いることも可能となっている。
【００５２】
前記の支持ケース６７は、前記押えローラ４５の回転軸４５ａを回転自在に貫通支持する軸受部７４と、従動ローラ４６の回転軸４６ａの両端部を回転自在に支持する軸受部７５とを備えており、これによって、押えコンベア４とともに一体となって揺動するようになっている。
【００５３】
ここで、前記スライダー６３の各側板部６３ａ，６３ａの破砕装置３側の下端部には、前記支持ケース６７の軸受部７４を貫通してそれより外方に突出した前記駆動ローラ回転軸４５ａの両端部を回転自在に支持する軸受部７６が設けられている。これにより、この回転軸４５ａ両端部を回動中心として、送りコンベア４及び支持ケース６７は回動可能に構成されている。このとき、スライダー６３の自走式木材破砕機前方側端部に設けたブラケット６３ｄから下方に突出して設けたストッパ７７が支持ケース６７の自走式木材破砕機前方側端部に設けた係合部係合することにより、上記送りコンベア４が水平面となす角（揺動角）θが予め定められた所定の角度（例えばθ≒１５°）未満とならないように（すなわちその位置よりも送りコンベア４の自走式木材破砕機前方側が下方に下がらないように）規制されるようになっている。
【００５４】
以上のような構造により、スライダー６３、ガイドローラ６２、支持ケース６７、及び押えコンベア４が一体となって、支柱６１，６１に沿って上下方向にスライド移動可能であるとともに、任意のスライド位置において、さらに支持ケース６７及び押えコンベア４が、前記駆動ローラ回転軸４５ａを揺動中心として揺動可能（例えばθ≧１５°）に構成され、これによって、前記押えコンベア４による被破砕木材の押さえ込み圧力や、送りコンベア２のコンベアベルト３５と押えコンベア４のコンベアベルト４７との間の間隙寸法を適宜設定可能となっている。
【００５５】
上記のような構造の送りコンベア２、破砕装置３、押えコンベア４に関し、本実施の形態の最も大きな特徴は、それらの配置における位置関係にある。
すなわち、図４において、破砕装置３の前記破砕ロータ２１、送りコンベア２の前記送りローラ３３、及び押えコンベア４前記押えローラ４５が、破砕時において、送りコンベア２による被破砕木材の搬送面Ｔ（図４参照）が破砕ロータ２１の回転軸２１ａの回転中心位置Ｑ近傍に位置するとともに、送りローラ３３の破砕ロータ２１側端部位置（回転軌跡の端部位置）Ｓ及び押えローラ４５の破砕ロータ２１側端部位置（回転軌跡の端部位置）Ｐが破砕ロータ２１の破砕外径Ｒに対して近くなるように（詳細にはほぼ等距離で近接するように）配置されている。
また、送りローラ３３の外径Ｄ1（図３参照）及び押えローラ４５の外径Ｄ2（図３参照）は、互いにほぼ等しくなっており（Ｄ1≒Ｄ2）、またそれぞれ、送りコンベア２による被破砕木材の搬送面Ｔから破砕外径Ｒの最上部までの高さ方向寸法（＝最大破砕高さ）Ｈ（図３参照）より小さくなっている。
【００５６】
図１及び図２に戻り、前記の排出コンベア７は、排出側（後方側、図１及び図２中左側）部分が、パワーユニット９４（後述）から突出して設けたアーム部材７８（但し図２では図示省略）に、支持部材７９，８０を介し吊り下げ支持されている。また、排出反対側（前方側、図１及び図２中右側）部分は、本体フレーム破砕機取付け部９Ａよりも下方に位置し、支持部材８１を介し本体フレーム破砕機取付け部９Ａから吊り下げられるように支持されている。この結果、排出コンベア７は、本体フレーム９の下方からパワーユニット９４の下方を通って、本体フレーム９の自走式木材破砕機後方側外方へ、上り傾斜で配置されている。
【００５７】
またこの排出コンベア７は、フレーム８２と、このフレーム８２に支持され排出コンベア用油圧モータ８３（図２参照）で駆動される駆動輪８４と従動輪（図示せず）との間に巻回して設けられたコンベアベルト８６と、このコンベアベルト８６の両側面及び搬送面をそれぞれ支持するガイドローラ８７及びローラ８８を備えており、前記排出コンベア用油圧モータ８３の駆動力でによってコンベアベルト８６を駆動し、これによって破砕装置３から図示しないシュートを介しコンベアベルト８６上に落下してきた木材破砕物を後方側（図１及び図２中左側）へ運搬し破砕機本体５外へ搬出するようになっている。また、このとき、従動輪の回転軸を支持する軸受機構（図示せず）が公知の張力調整機構８５によって略水平方向に変位可能に構成されており、これによって、上記コンベアベルト８６の張力を調整可能となっている。
【００５８】
前記の磁選機８は、支持部材８９を介し前記アーム部材７８より吊り下げ支持されており、前記コンベアベルト８６の上方にこのコンベアベルト８６と略直交するように配置された磁選機ベルト９０（図１参照）を、磁選機用油圧モータ９１（図１参照）によって磁力発生手段（図示せず）まわりに駆動することにより、磁力発生手段からの磁力を磁選機ベルト９０越しに作用させてコンベアベルト８６上の磁性物を磁選機ベルト９０に吸着させた後、コンベアベルト８６と略直交する方向（自走式木材破砕機の幅方向）に運搬して、前記排出コンベアフレーム８２に設けたシュート９２を介しコンベアベルト８６の側方に落下させ排出するようになっている。
前記の本体フレーム破砕機取付け部９Ａの後方側（図１、図２中左側）端部の上部には、パワーユニット積載部材９３を介して動力体としてのパワーユニット９４が搭載されている（図１参照）。
【００５９】
ここで、上記送りコンベア２、破砕装置３、押えコンベア４、排出コンベア７、磁選機８、走行装置１０、及び押えコンベア支持機構６０は、この自走式木材破砕機に備えられる油圧駆動装置によって駆動される被駆動部材を構成しており、これらは、上記送りコンベア用油圧モータ４１、破砕装置用油圧モータ２８、押えコンベア用油圧モータ、排出コンベア用油圧モータ８３、磁選機用油圧モータ９１、左・右走行用油圧モータ１２、及びスライダー６３昇降用の油圧シリンダ６６等の各種油圧アクチュエータや、前記パワーユニット９４内に搭載されるエンジン（図示せず）、このエンジンにより駆動される少なくとも１つの油圧ポンプ（図示せず）、及び複数のコントロールバルブ（図示せず）等からなる油圧駆動装置によって駆動される。
【００６０】
すなわち、例えば自走式木材破砕機を自走させる時には、前記の油圧ポンプからの圧油が、運転席９５の左・右操作レバー９６の操作に応じて切り換えられる走行用コントロールバルブ（図示せず）を介し走行用油圧モータ１２に供給され、これによって無限軌道履帯１１が駆動されて走行装置１０が走行する。
【００６１】
また、破砕作業時には、例えば運転席９５に設けた操作盤（図示せず）の磁選機起動スイッチ（図示せず）、排出コンベア起動スイッチ（図示せず）、破砕装置起動スイッチ（図示せず）、押えコンベア用起動スイッチ（図示せず）、及び送りコンベア起動スイッチ（図示せず）が順次押されることで、その操作信号が図示しないコントローラを介して駆動信号として出力される。そして、これらの駆動信号が、磁選機用コントロールバルブ（図示せず）、排出コンベア用コントロールバルブ（図示せず）、破砕装置用コントロールバルブ（図示せず）、押えコンベア用コントロールバルブ（図示せず）及び送りコンベア用コントロールバルブ（図示せず）に入力されてそれらコントロールバルブが切り換えられ、これによって前記の油圧ポンプからの圧油がこれらのコントロールバルブを介し対応する油圧アクチュエータ９１，８３，２８，４１等に供給され、これによって磁選機８、排出コンベア７、破砕装置３、押えコンベア４、及び送りコンベア２が起動するようになっている。なお、前述した油圧シリンダ６６は、基本的にメンテナンス時にのみ伸縮させてスライダー６３を強制昇降させるためのものであり、この破砕時には昇降用としては使用せず（但し急激な昇降を抑制するためのダンパ機能の役割は果たす）、押えコンベア４は後述のようにその自重のみによって被破砕木材を押圧するようになっている。
【００６２】
そして、上記油圧ポンプ及びエンジン（その上部カバー９７のみ図２に図示）は、このエンジンの冷却水を冷却するラジエータを備えた熱交換器装置（図示せず）とともに、前記パワーユニット９４内の自走式木材破砕機後方側（図２中左側）の領域において、自走式木材破砕機の幅方向（図２中上下方向、前記本体フレーム９の短手方向）に並設されている。
一方、パワーユニット９４の自走式木材破砕機前方側（図２中右側）の領域には、前記エンジンの燃料タンク（その給油口９８のみを図２に図示）と、前記各油圧アクチュエータを駆動する圧油（作動油）を貯留する作動油タンク（その給油口９９のみを図２に図示）と、上述の各コントロールバルブを備えた制御弁装置（図示せず）と、操作者が搭乗する区画である上記運転席９５とが、この順序で自走式木材破砕機幅方向左側（図２中上側）から右側（図２中下側）へ向かって並設されている。
【００６３】
なお、以上のパワーユニット９４の各機器は、パワーユニット９４の基礎下部構造をなすパワーユニットフレーム１０１（図１参照）上に配置されており、このパワーユニットフレーム１０１が、前記パワーユニット積載部材９３（図１参照）を介し、前記本体フレーム破砕機取付け部９Ａの後端部の上部に搭載されている。
【００６４】
以上において、送りコンベア２が、被破砕木材を破砕装置側へ搬送する搬送手段を構成し、押えコンベア４が、搬送手段と協働して被破砕木材を押圧しながら破砕装置へと導入する押圧導入手段を構成する。また、破砕装置用油圧モータ２８が、破砕ロータを、その破砕ビットが被破砕木材に対し上向き又は下向きに衝突して破砕するように両方向に回転可能な両方向駆動手段を構成する。
【００６５】
次に、本実施の形態の動作及び作用を以下に説明する。
【００６６】
上記構成の自走式木材破砕機において、破砕作業時には、例えば適宜の作業具あるいは手作業（人力）によりホッパ１に被破砕木材を投入すると、ホッパ１で受け入れられた被破砕木材は送りコンベア２のコンベアベルト３５上に載置されて略水平方向に自走式木材破砕機後方（図１、図２中左方）に搬送される。
【００６７】
このように後方へと搬送されてきた被破砕木材は、送りコンベア２の後端（図１、図２中左側端）付近まで来ると、その上部が押えコンベア４のコンベアベルト４７の下部に入り込むようにして押えコンベア４に取り込まれ、押えコンベア４の自重で押さえつけられることにより押圧把持され、コンベアベルト４７の回転と共に押圧された状態のまま破砕装置３へと送り込まれる。
【００６８】
このとき、図４において、押えコンベア４の破砕装置３側端部にある押えローラ４５と送りコンベア２の破砕装置３側端部にある送りローラ３３とで被破砕木材Ｗ（図４に想像線で示す）を上下から挟み込むようにして、この挟み込み部分Ｘ（図４参照）を破砕時の破砕支点（以下適宜、破砕支点Ｘという）としつつ、それより破砕装置３側の被破砕木材先端部を破砕ロータ２１に向かって片持ち梁状に突出させ、その突出した先端部を回転する破砕ロータ２１の破砕ビットにて次々に破砕（粉砕）していく。
【００６９】
このとき、本実施の形態では、押えローラ４５の破砕ロータ２１側端部Ｐ及び送りローラ３３の破砕ロータ２１側端部を破砕ロータ２１の破砕外径Ｒに極力（干渉しない程度に）近づけている。これにより、押えローラ４５と送りローラ３３との挟み込み部分である破砕時の破砕支点Ｘを、破砕ロータ２１に極力近づけることができるので、被破砕木材先端部におけるその破砕支点Ｘから片持ち梁状に突出する部分の長さｈ（図４参照）をなるべく短くすることができる。したがって、回転する破砕ロータ２１からの衝撃（例えば図３中アで示す正転方向回転なら上方向への衝撃）で生じるその突出部分のたわみを低減できるので、たわみとその後の復元との繰り返し（いわゆるバタツキ）による騒音発生を低減することができる。
【００７０】
また、被破砕木材Ｗを先端部側から順次破砕ロータ２１側へと送り込んで破砕を行っていくとき、被破砕木材Ｗの最後端ＷLが上記破砕支点Ｘを通過した瞬間に、被破砕木材Ｗはどこからも把持されず解放された状態となる。ここで、本実施の形態では、上記のように押えローラ４５の破砕ロータ２１側端部Ｐ及び送りローラ３３の破砕ロータ２１側端部を破砕ロータ２１に近づけることで、被破砕木材片の巻き込み側の隙間（すなわち図３中アで示す正転方向回転なら上側の破砕ロータ破砕外径Ｒと押えローラ４５との間の隙間ｔU、図３中イで示す逆転方向回転なら下側の破砕ロータ破砕外径Ｒと送りローラ３３との間の隙間ｔL）をより小さくすることができる。これにより、上記破砕支点Ｘを通過して開放された被破砕木材Ｗの最後端ＷLが、比較的大きな形状のままでその隙間を介し破砕ロータ２１まわりの破砕室内に導入されはね回るのを抑制できる。したがって、被破砕木材Ｗの破砕室内での跳ね回りによる騒音発生をも低減できる。
【００７１】
以上のようにして破砕された木材破砕物は、篩い部材３２の開口部によって選別され、それを通過できる粒度になったものだけが通過して篩い部材３２の外部へ排出される。排出された木材破砕物は、シュートを介し排出コンベア７のベルト８６上に落下して運搬され、最終的に自走式木材破砕機の後部（図１中右端部）からリサイクル品として排出（搬出）される。
【００７２】
以上説明したように、上記本発明の自走式木材破砕機の一実施の形態によれば、被破砕木材Ｗのバタツキや跳ね回りによる騒音を低減することができる。
【００７３】
またこれに加え、以下のような効果もある。
【００７４】
▲１▼後方バタツキによる騒音低減
上記では、破砕時の破砕支点Ｘより破砕装置３側の被破砕木材Ｗ先端部が回転する破砕ロータ２１からの衝撃によりたわみ、このたわみとその後の復元との繰り返しによるバタツキ（前方バタツキ）による騒音発生を低減できるという効果について説明した。これとは別のバタツキが破砕支点Ｘの後方側でも発生しうる。
【００７５】
すなわち、図３中矢印イで示す逆転方向回転の時、被破砕木材Ｗ先端部が破砕ロータ２１の破砕ビットにひっかけられ削られつつその回転方向側（下側）に変位すると、破砕支点Ｘを回動中心としてその反対側の被破砕木材Ｗ後端部は、シーソーの原理で逆の上側に変位し、送りローラ２のコンベアベルト３５搬送面Ｔから浮き上がることとなる。その後、１つの破砕ビットによる削り取りが終わると、破砕支点Ｘを含むその前後の押えローラ４及び送りローラ２の押え把持力により被破砕木材Ｗはもとの位置に復元し、その後端部はコンベアベルト３５搬送面Ｔ上に着地する。破砕動作中はこの挙動を繰り返すこととなり、浮き上がり→着地の反復による被破砕木材後方側のバタツキ（後方バタツキ）により上記同様の騒音を発生する可能性がある。
【００７６】
本実施の形態においては、前述のように押えローラ４５と送りローラ３３との挟み込み部分である破砕時の破砕支点Ｘを、破砕ロータ２１に極力近づけることができるので、上記のような被破砕木材Ｗ先端部の下側への変位を抑制できる。したがって、反対側の被破砕木材Ｗ後端部の上側への変位をも抑制できるので、上記後方バタツキを抑制でき、これによる騒音発生を低減することができる。
【００７７】
▲２▼破砕装置用油圧モータの投入動力低減による小型化
前述したように、被破砕木材Ｗを先端部側から順次破砕ロータ２１側へと送り込んで破砕を行っていくとき、被破砕木材Ｗの最後端ＷLが上記破砕支点Ｘを通過した瞬間に、被破砕木材Ｗはどこからも把持されず解放された状態となって、そのまま破砕ロータ２１まわりの破砕室に導入され、篩い部材３２の開口部を通過できる粒度になるまでは破砕ロータ２１の破砕ビットによる破砕が継続される。したがって、破砕支点と破砕ロータとの距離が比較的大きい従来構造では、上記のように解放され導入される被破砕木材片の大きさも比較的大きく、そのため、これを篩い部材開口部を通過可能な小さい粒度まで破砕するには破砕ロータを駆動する破砕装置用油圧モータへ多大な動力投入が必要となり、この結果駆動源であるパワーユニットが大型化し、ひいては自走式木材破砕機全体の大型化を招く場合があった。
【００７８】
本実施の形態では、上記のように押えローラ４５と送りローラ３３との挟み込み部分である破砕時の破砕支点Ｘを破砕ロータ２１に極力近づけることができるので、上記のように把持から解放され導入されるときの被破砕木材片の大きさを比較的小さくすることができる。したがって、その分、破砕装置用油圧モータ２８への投入動力を低減できるので、パワーユニット９４を小型化し、ひいては自走式木材破砕機全体を小型化することができる。
【００７９】
なお、本発明は、上記図１〜図５を用いて説明した実施の形態に限られるものではなく、その趣旨及び技術的思想を逸脱しない範囲内で、種々の変形が可能である。以下、そのような変形例を順次説明する。
【００８０】
（１）送りコンベア搬送面が破砕ロータ回転中心より下方に位置する構造
図６は、送りコンベア４Ａの搬送面Ｔが破砕ロータ２１の回転中心（＝回転軸２１ａの軸心位置）Ｑより下方にずれた配置とした変形例を表す図であり、上記本発明の一実施の形態の図４に相当する図である。
【００８１】
図６において、本変形例においては、押えコンベア４Ａは、上記本発明の一実施の形態における押えコンベア４よりも全体的に小型になっており、特に、本変形例の押えコンベア４Ａの押えローラ４５の外径Ｄ2′が、上記本発明の一実施の形態の押えコンベア４の押えローラ４５の外径Ｄ2より小さくなっている。一方、送りコンベア２については、上記本発明の一実施の形態と同様の大きさとなっており、この結果、押えローラ４５の外径Ｄ2′は、送りローラ３３の外径Ｄ1よりも小さくなっている。またこのとき、送りローラ３３の破砕ロータ２１側端部位置Ｓと破砕ロータ破砕外径Ｒとの距離Ｌ1が、押えローラ４５の破砕ロータ２１側端部位置Ｐと破砕ロータ破砕外径Ｒとの距離Ｌ2よりも小さくなるように配設されている。なお、破砕ロータ２１は、矢印イで示す方向へ回転させるようにする（すなわち、破砕装置用油圧モータ２８が、破砕ロータを、その破砕ビットが前記被破砕木材に対し下向きに衝突して破砕する向きに回転させる下向き駆動手段を構成する）。この場合、破砕装置３の破砕ロータ２１の外周部には、刃面が破砕ロータ２１の上記イ方向への回転に対応するような向きの破砕ビットのみを設ければ足りることは言うまでもない。
【００８２】
本変形例においても、上記本発明の一実施の形態と同様の効果を得る。
すなわち、下部にある送りローラ３３の破砕ロータ２１側端部Ｓと破砕ロータ破砕外径Ｒとの距離Ｌ1を上部にある押えローラ４５の破砕ロータ２１側端部Ｐと破砕ロータ破砕外径Ｒとの距離Ｌ2よりも小さくする（すなわち送りローラ３３を破砕ロータ破砕外径Ｒにより近づける）ことにより、送りローラ３３側（すなわち被破砕木材片の巻き込み側）の隙間をより小さくすることができる。これにより、前述した押えローラ４５及び送りローラ３３による挟み込み部分（破砕支点）Ｘを通過して開放された被破砕木材の最後端が、比較的大きな形状のままでその隙間を介し破砕ロータ２１まわりの破砕室内に導入されはね回るのを抑制できる。したがって、被破砕木材の破砕室内での跳ね回りによる騒音発生を低減できる。
【００８３】
このとき、上記のようにして送りローラ３３と押えローラ４５の破砕外径Ｒへの距離Ｌ1，Ｌ2に差をつけても（干渉防止に万全を期す等の観点よりＬ2はＬ1より大きな通常の値に確保したい場合がある）、押えローラ４５の外径Ｄ2′を送りローラ３３の外径Ｄ1より小さくしていることにより、それら２つのローラ４５，３３全体としても破砕ロータ２１に比較的近接させることができる。このことを図７（ａ）〜（ｃ）により説明する。
【００８４】
図７（ａ）及び（ｂ）は、送りコンベア搬送面Ｔが破砕ロータ回転中心Ｑより下方にずれ破砕外径がＲである破砕ロータ２１、送りローラ３３、及び押えローラ４５の配設位置関係を模式的に示した図であり、図７（ａ）は、本変形例に相当する図、図７（ｂ）は本変形例とは逆に押えローラの外径Ｄ2″を送りローラの外径Ｄ1より大きくした比較例を示す図である。
【００８５】
本変形例においては、図７（ａ）に示すように、押えローラ４５の外径Ｄ2′は送りローラ３３の外径Ｄ1よりも小さくなっている。これにより、図７（ｂ）に示す比較例のように押えローラ４５の外径Ｄ2″を送りローラ３３の外径Ｄ1より大きくする場合よりも、押えローラ４５と送りローラ３３との挟み込み部分である破砕時の破砕支点Ｘを、破砕ロータ外径Ｒに近づけることができる。これは図７（ｃ）に示す３つの円（破砕外径Ｒの円、送りローラ３３の円、押えローラ４５の円）の外接関係として考えればより明確である。すなわち、破砕ロータ２１（破砕外径Ｒ）及び送りローラ３３を同一に固定して考えた場合、大径の押えローラ４５Ｂの送りローラ３３との外接点Ｘ2よりも、小径の押えローラ４５Ａの送りローラ３３との外接点Ｘ1のほうが破砕外径Ｒにより近づけることができる。
【００８６】
本変形例では、この原理を利用し、押えローラ４５の外径Ｄ2′を送りローラ３３の外径Ｄ1よりも十分に小さくすることで、破砕支点Ｘを破砕ロータ外径Ｒにより近づけている。これによって、押えローラ端部位置Ｐと破砕外径Ｒとの距離Ｌ2を、送りローラ端部位置Ｓと破砕外径Ｒとの距離Ｌ1をより大きくしてもなお、図７（ａ）と図７（ｂ）とを比較して分かるように、破砕支点Ｘを破砕ロータ外径Ｒにより近づけることが可能となる。
【００８７】
これにより、被破砕木材Ｗ先端部における破砕支点Ｘから片持ち梁状に突出する部分の長さを短くすることができるので、上記本発明の一実施の形態と同様、たわみと復元との繰り返し（バタツキ）による騒音発生を低減できる。
【００８８】
（２）送りコンベア搬送面が破砕ロータ回転中心より上方に位置する構造
図８は、上記変形例（１）とは逆に、送りコンベア４Ｂの搬送面Ｔが破砕ロータ２１の回転中心（＝回転軸２１ａの軸心位置）Ｑより上方にずれた配置とした変形例を表す図であり、上記本発明の一実施の形態の図４、上記変形例（１）の図６に相当する図である。
【００８９】
図８において、本変形例においては、送りコンベア２Ａは、上記本発明の一実施の形態における送りコンベア２よりも全体的に小型になっており、特に、本変形例の送りコンベア２Ａの送りローラ３３の外径Ｄ1′が、上記本発明の一実施の形態の送りコンベア２の送りローラ３３の外径Ｄ1より小さくなっている。一方、押えコンベア４については、上記本発明の一実施の形態と同様の大きさとなっており、この結果、送りローラ３３の外径Ｄ1′は、押えローラ４５の外径Ｄ2よりも小さくなっている。またこのとき、押えローラ４５の破砕ロータ２１側端部位置Ｐ（図示せず）と破砕ロータ破砕外径Ｒとの距離Ｌ2が、送りローラ３３の破砕ロータ２１側端部位置Ｓと破砕ロータ破砕外径Ｒとの距離Ｌ1よりも小さくなるように配設されている。なお、この場合、破砕ロータ２１は、矢印アで示す方向へ回転させるようにする（すなわち、破砕装置用油圧モータ２８が、破砕ロータを、その破砕ビットが前記被破砕木材に対し上向きに衝突して破砕する向きに回転させる上向き駆動手段を構成する）。この場合、破砕装置３の破砕ロータ２１の外周部には、刃面が破砕ロータ２１の上記ア方向への回転に対応するような向きの破砕ビットのみを設ければ足りることは言うまでもない。
【００９０】
本変形例においては、上記変形例（１）と同様の原理で、上記本発明の一実施の形態と同様の効果を得ることができる。
すなわち、上部にある押えローラ４５の破砕ロータ２１側端部Ｐと破砕ロータ破砕外径Ｒとの距離Ｌ2を下部にある送りローラ３３の破砕ロータ２１側端部Ｓと破砕ロータ破砕外径Ｒとの距離Ｌ1をよりも小さくする（すなわち押えローラ４５を破砕ロータ破砕外径Ｒにより近づける）ことにより、押えローラ４５側（すなわち被破砕木材片の巻き込み側）の隙間をより小さくすることができる。これにより、押えローラ４５及び送りローラ３３による挟み込み部分（破砕支点）Ｘを通過して開放された被破砕木材の最後端が、比較的大きな形状のままでその隙間を介し破砕ロータ２１まわりの破砕室内に導入されはね回るのを抑制できるので、被破砕木材の破砕室内での跳ね回りによる騒音発生を低減できる。
【００９１】
このとき、上記変形例（１）と同様の原理で、送りローラ３３と押えローラ４５の破砕外径Ｒへの距離Ｌ1，Ｌ2に差をつけても、送りローラ３３の外径Ｄ1′を押えローラ４５の外径Ｄ2より小さくしていることにより、それら２つのローラ４５，３３全体としても破砕ロータ２１に比較的近接させることができる。したがって、被破砕木材Ｗ先端部における破砕支点Ｘから片持ち梁状に突出する部分の長さを短くすることができるので、上記同様、たわみと復元との繰り返し（バタツキ）による騒音発生を低減できる。
【００９２】
なお、以上においては、搬送手段と協働して被破砕木材を押圧しながら破砕装置へと導入する押圧導入手段として、ローラとして押えローラ４５及び従動ローラ４６の２つのみを備え、コンベアベルト４７をこれらローラ４５，４６の外周側に単純に巻き回した押えコンベア４を用いたが、これに限られない。すなわち、３個以上の複数のローラを備え、その内周側や外周側にベルトを巻き回した構造のものでもよい。逆に、コンベアベルト４７のようなものを用いず、単純に１つの押えローラ４５のみで押圧導入する構造でもよい。また、搬送手段についても同様に、送りコンベア２に限らず、３個以上の複数のローラを備え、その内周側や外周側にベルトを巻き回した構造のものでもよい。これらの場合も、破砕装置側端部に設けたローラ（押えローラあるいは送りローラ）に関し、上記本発明の一実施の形態、（１）の変形例、（２）の変形例においてそれぞれ上述した破砕ロータ破砕外径との距離関係、あるいはローラ外径の大小関係が成立しさえすれば、それらと同様の効果を得ることができる。
【００９３】
また、以上においては、破砕装置として破砕ロータ２１の外周部に刃物（破砕ビット）を取り付けたいわゆるインパクトクラッシャを備えた自走式木材破砕機を例にとって説明したが、これに限られず、他の破砕装置、例えば、平行に配置された軸にカッタを備え、互いに逆回転させることにより被破砕木材をせん断する破砕装置（いわゆるシュレッダを含む２軸せん断機等）や、ロール状の回転体（ロータ）に破砕用の刃物を取り付けたものを一対としてそれら一対を互いに逆方向へ回転させ、それら回転体の間に被破砕木材を挟み込んで破砕を行う回転式の破砕装置（いわゆるロールクラッシャを含む６軸破砕機等）や、被破砕木材をチップ状にするいわゆる木材チッパーを備えた自走式木材破砕にも適用可能である。これらの場合も、上記と同様の効果を得る。
【００９４】
【発明の効果】
請求項１記載の発明によれば、破砕時において搬送手段による搬送面が破砕ロータの回転中心位置近傍及びその上方に位置するように構成するとともに、さらに押えローラを送りローラよりも破砕ロータの破砕外径に近づけるので、押えローラ及び送りローラによる挟み込み部分（破砕支点）を通過して開放された被破砕木材の最後端が、比較的大きな形状のままでその隙間を介し破砕ロータまわりの破砕室内に導入されはね回るのを抑制でき、被破砕木材の破砕室内での跳ね回りによる騒音発生を低減できる。
またこのとき、例えば送りローラの径を押えローラの径よりも小さくすることで、それら２つのローラ全体としても比較的破砕ロータに近接させることができる。これにより、押えローラと送りローラとの挟み込み部分である破砕時の破砕支点を、破砕ロータに近づけることができるので、被破砕木材先端部におけるその破砕支点から片持ち梁状に突出する部分の長さを短くすることができる。したがって、破砕ロータからの上方への衝撃で生じる突出部分のたわみを低減できるので、たわみとその後の復元との繰り返し（いわゆるバタツキ）による騒音発生を低減することができる。
【００９５】
請求項３記載の発明によれば、破砕時において搬送手段による搬送面が破砕ロータの回転中心位置近傍及びその下方に位置するように構成するとともに、さらに送りローラを押えローラよりも破砕ロータの破砕外径に近づけるので、押えローラ及び送りローラによる挟み込み部分（破砕支点）を通過して開放された被破砕木材の最後端が、比較的大きな形状のままでその隙間を介し破砕ロータまわりの破砕室内に導入されはね回るのを抑制でき、被破砕木材の破砕室内での跳ね回りによる騒音発生を低減できる。
またこのとき、例えば押えローラの径を送りローラの径よりも小さくすることで、それら２つのローラ全体としても破砕ロータに比較的近接させることができる。これにより、押えローラと送りローラとの挟み込み部分である破砕時の破砕支点を、破砕ロータに近づけることができるので、被破砕木材先端部におけるその破砕支点から片持ち梁状に突出する部分の長さを短くすることができる。したがって、破砕ロータからの下方への衝撃で生じる突出部分のたわみを低減できるので、たわみとその後の復元との繰り返し（いわゆるバタツキ）による騒音発生を低減することができる。
【図面の簡単な説明】
【図１】本発明の自走式木材破砕機の一実施の形態の全体構造を表す側面図である。
【図２】本発明の自走式木材破砕機の一実施の形態の全体構造を表す上面図である。
【図３】本発明の自走式木材破砕機の一実施の形態を構成する破砕ユニット付近の構造を表す図１中部分拡大側面図である。
【図４】本発明の自走式木材破砕機の一実施の形態を構成する図３に示す破砕ユニット付近の構造のうち、押えコンベア及び送りコンベアの詳細構造を表すための一部透視拡大側面図である。
【図５】図３中Ｖ−Ｖ面による一部断面で示す矢視図である。
【図６】本発明の自走式木材破砕機の一実施の形態において、送りコンベアの搬送面を破砕ロータの回転中心より下方にずれた配置とした変形例を表す図である。
【図７】本発明の自走式木材破砕機の一実施の形態において、送りコンベアの搬送面を破砕ロータの回転中心より下方にずれた配置とした変形例における破砕ロータ、送りローラ、及び押えローラの配設位置関係を模式的に示した図、押えローラの外径を送りローラの外径より大きくした比較例を示す図、及び破砕外径、送りローラ、押えローラの外接関係を表す図である。
【図８】本発明の自走式木材破砕機の一実施の形態において、送りコンベアの搬送面を破砕ロータの回転中心より上方にずれた配置とした変形例を表す図である。
【符号の説明】
２              送りコンベア（搬送手段）
３              破砕装置
４              押えコンベア（押圧導入手段）
５              破砕機本体
２１            破砕ロータ
２８            破砕装置用油圧モータ（両方向駆動手段；上向き駆動手段；下向き駆動手段）
３３            送りローラ
４５            押えローラ
Ｄ1             送りローラの外径
Ｄ2             押えローラの外径
Ｐ              押えローラの破砕ロータ側端部
Ｑ              回転中心位置
Ｒ              破砕ロータの破砕外径
Ｓ              送りローラの破砕ロータ側端部
Ｔ              搬送面
Ｗ              被破砕木材
Ｘ              破砕支点
【図１】
0004689054.tif 000002
【図２】
0004689054.tif 000003
【図３】
0004689054.tif 000004
【図４】
0004689054.tif 000005
【図５】
0004689054.tif 000006
【図６】
0004689054.tif 000007
【図７】
0004689054.tif 000008
【図８】
0004689054.tif 000009